(57)【要約】【課題】通常の園芸用土壌材を使用でき、かつ、灌水の頻度を少なくすることと共に、灌水のタイミングが容易に判断でき、さらに、適当なスタンドなどを用いなくてもテーブル上に垂直に配置することができる、植物展示キットを提供すること。【解決手段】植物が生育可能な土壌材をその中に納め、その土壌材に植物若しくは植物の苗を植え又は種を播いた袋状プランター１と、前記袋状プランター１を収容し、前記袋状プランターに植えた植物が外へ出ることができる窓部２３を有する展示トレー表部２と、前記展示トレー表部２と一体となることにより、前記袋状プランター１を後方から覆い、前記袋状プランター１に灌水するための貯水部３２を有する展示トレー裏部３からなり、一体となった前記袋状プランター１、展示トレー表部２及び展示トレー裏部３が垂直に設置可能であることを特徴とする植物展示キット１００を提供する。【選択図】図１
2016000033.tif 000002
【特許請求の範囲】
【請求項１】
透水性の袋状プランターに植えられた植物の展示トレーであって、
前記袋状プランターが収容される収容部と、
前記袋状プランターにおける開口に対応する位置に形成されている窓部と、
前記植物への給水された水を受ける受け部と、
を備える展示トレー。
【請求項２】
前記窓部が展示トレー本体の底面に対して所要の角度をもって形成されており、
前記展示トレー本体の上面が前記底面に比して小さい形状である、請求項１記載の展示トレー。
【請求項３】
前記窓部が形成されている展示トレー表部と、
前記受け部が形成されている展示トレー裏部とを有する、請求項１記載の展示トレー。
【請求項４】
前記受け部が形成されている展示トレー裏部には、壁掛け用の孔部が設けられている、請求項１記載の展示トレー。
【請求項５】
展示トレー本体の底面は、自立可能な態様で形成されている、請求項１記載の展示トレー。
【請求項６】
前記窓部は、前記収容部に対する前記袋状プランターの着脱が可能な条件で形成されている、請求項１記載の展示トレー。
【請求項７】
前記受け部で受けられている水を前記袋状プランターに向けて移送する給水板を備える、請求項１記載の展示トレー。
【請求項８】
請求項１記載の展示トレーと、
前記展示トレーに収容される袋状プランターとを備える、植物展示キット。
【請求項９】
請求項６記載の植物展示キットに用いられる、多層状態とされた布が縫合されてなる袋状プランター。
【発明の詳細な説明】
【技術分野】
【０００１】
本発明は、植物展示キットに関し、特に、花、香草、薬草などの植物を観賞するために、卓上設置又は壁掛けできる、観賞用の植物展示キットに関する。
【背景技術】
【０００２】
従来、屋内で植物を観賞する方法として、植木鉢を床に置くこと、植物を植えたバスケットを壁に掛けること、植物を植えたポットを吊り下げること等の方法が知られている。
【０００３】
特許文献１には、この種の植栽装置として、植物を生育可能な土壌とそれを収める容器とを有する植栽装置であって、軽量で透水性の良好な固形土より成る土壌を外被によって包み、扁平な形状にした土壌マットとし、容器は、土壌マットが収まる扁平なトレー形状とし、立て方向に配置したときに上になる箇所に注液口を有し、さらにトレーの底に相当する箇所にあけられた複数個の孔を有し、トレーの底との間で土壌マットを挟み込むとともに、土壌に植えられた植物の一部を外へ出す穴あきのパネル体によって容器を覆うことにより垂直に配置可能とし、外被は、吸水性の良好なシート材によって植栽面を除く固形土の全体を包み、さらにその外側全体を植物繊維より成るシート材によって包んでいることを特徴とするものが開示されている。
【０００４】
【特許文献１】特許第３８５７５４０号公報
【発明の開示】
【発明が解決しようとする課題】
【０００５】
しかし、特許文献１に係る発明は、特許文献１にも記載されているとおり、固形土をあらかじめシート材で包んでおり、固形土としては、所謂「土」と言うよりも塊状、粒状のものに近く、上記の条件を満たす固形土は菓子のビスケットやラクガンのように多孔質の構造を有することが望ましいとされているため、このような固形土では、根を十分に土の中に植え込むことに不向きな植物もあり、また、種の状態から育てる場合に、根の成長が妨げられる可能性のある植物もある。
【０００６】
また、室内で植物を生育する際には、灌水が重要になるが、特許文献１に係る植栽装置では、植栽装置中の水分は、固形土に含まれる水分のみなので、頻繁に水の補給をしなければならない。さらに、保湿の状態が外から判断が付かないので、灌水を忘れてしまう可能性がある。
【０００７】
その上、特許文献１に係る植栽装置自体では、テーブル上に垂直に配置することはできず、適当なスタンドを用いることが必要であり、改善の余地がある。
【０００８】
そこで、本発明は、通常の園芸用土壌材を使用でき、かつ、灌水の頻度を少なくすることと共に、灌水のタイミングが容易に判断でき、さらに、適当なスタンドなどを用いなくてもテーブル上に垂直に配置することができる、植物展示キットを提供することを課題とする。
【課題を解決するための手段】
【０００９】
上記課題を解決するために、本発明は、
透水性の袋状プランターに植えられた植物の展示トレーであって、
前記袋状プランターが収容される収容部と、
前記袋状プランターにおける開口に対応する位置に形成されている窓部と、
前記植物への給水された水を受ける受け部と、を備える。
【００１０】
また、本発明の 植物展示キットは、
上記展示トレーと、
前記展示トレーに収容される袋状プランターとを備える。
【００１１】
さらに、本発明は、上記植物展示キットに用いられる、多層状態とされた布が縫合されてなる袋状プランターである。
【００１２】
本発明の植物展示キット用袋状プランターは、
植物の生育用の土壌材が入れられ植物の茎が通る開口部を有する袋状プランターと、
前記袋状プランターを挟み込む展示トレーとを具備し、
前記展示トレーは、
前記開口部に対応する箇所に形成された窓部を有する展示トレー表部と、
植物展示キット本体を縦置き又は横置きした場合に前記袋状プランターを通じて植物を灌水するため貯水部を有する展示トレー裏部とを備える。
【００１３】
また、本発明の植物展示キット用袋状プランターは、
植物の生育用の土壌材が入れられ、
植物の茎が通る開口部が形成されていて、
袋状プランター本体を挟み込む展示トレーに形成されている窓部周辺で保持される。
【００１４】
さらに、本発明の植物展示キット用展示トレーは、
前記切り込みに対応する箇所に形成された窓部を有する展示トレー表部と、
植物展示キット本体を縦置き又は横置きした場合に前記袋状プランターを通じて植物を灌水するため貯水部を有する展示トレー裏部とを備える。
【００１５】
前記袋状プランターは、給水性処理を施したリサイクル繊維を素材としてもよいし、新品の繊維を素材としてもよい。さらに、前記袋状プランターは、抗菌処理を施した繊維としてもよい。さらに、前記袋状プランターは、水分を含むときと乾燥しているときとで異なる色となるようにしてもよい。
【００１６】
前記展示トレー表部には、前記袋状プランターに灌水するための給水口が設けられていてもよく、また、前記展示トレー裏部には、前記袋状プランターの下端が展示トレー裏部の水受け部に位置するようにしてもよいし、これに代えて又はこれとともに、前記袋状プランターへの給水を補助する給水板を組み入れてもよい。
【図面の簡単な説明】
【００１７】
【図１】本発明の実施形態１の植物展示キットの分解斜視図である。
【図２】図１に示す袋状プランター１の斜視図である。
【図３】図１に示す袋状プランター１の製造工程図である。
【図４】図１に示す植物展示キットの正面図である。
【図５】図１に示す植物展示キットの右側面図である。
【図６】図１に示す植物展示キットの左側面図である。
【図７】図１に示す植物展示キットの平面図である。
【図８】図１に示す植物展示キットの裏面図である。
【図９】図１に示す植物展示キットの底面図である。
【図１０】本発明の実施形態２の植物展示キット用の袋状プランター１の製造工程図である。
【符号の説明】
【００１８】
１  袋状プランター
２  展示トレー表部
３  展示トレー裏部
４  螺子
５  給水板
１１  切れ込み
１２  正面部
１３  裏面部
１４  切れ込み
１５  ファスナー
２１  螺子受け部
２２  袋状プランター受け部
２３  窓部
２４  給水口
３１  螺子穴
３２  貯水部
１００  植物展示キット
【発明を実施するための形態】
【００１９】
以下、本発明の実施形態について図面を参照して説明する。なお、各図において、同様の部分には、同一符号を付している。
【００２０】
（実施形態１）
【００２１】
図１は、本発明の実施形態１の植物展示キット１００の分解斜視図である。図１に示すように、植物展示キット１００は、花、香草、薬草などの植物を生育可能な土壌材が入れられる透水性を有する袋状プランター１と、袋状プランター１を一対で挟み込むことで収容する展示トレー表部２及び展示トレー裏部３とを備える展示トレー２００とに大別される。
【００２２】
植物展示キット１００には、その大きさにもよるが、展示トレー２００のサイズが１５ｃｍ四方程度の場合には、ビンカ（ニチニチソウ）、インパチェンス、ベコニア・センパフローレンス等の花、ハーブ、セージ、タイム、ローズマリー、カミルレなどの香草或いは薬草、そのほかにもクローバなど緑化に寄与する植物を好適に用いることができる。
【００２３】
袋状プランター１は、典型的には土壌材が入れられるものである。もっとも土壌材以外にも植物が生育可能であれば、砂耕、ロックウール、もみがら、礫、ポリウレタンフォーム粘土をブレンドし焼き上げた顆粒状の資材、綿、吸水性ポリマー、混合用土、培地などを用いることもできる。本明細書においては、これらのものも土壌材に含むものとする。
【００２４】
袋状プランター１は、植物展示キット１００を横置き利用した場合はもちろんのこと、縦置き利用した場合及び壁掛け利用した場合にも、その土壌材等を保持できるようにしてある。また、袋状プランター１は、植物が生育しやすいように、吸水性及び通気性を備えているとよい。
【００２５】
このため、袋状プランター１の素材としては、たとえば、ポリアミド系・ポリエステル系・ポリオレフィン系・ポリ塩化ビニル系等の各種合成繊維、綿・ヤシ繊維・ジュート等の天然繊維からなる織編布、不織布、樹脂製シート、紙製シート等、吸水性ポリエステル等の吸水性繊維、透水性プロピレン等の吸水ポリマー、或いは、これらのいくつかを組み合わせたものを用いることができる。
【００２６】
袋状プランター１には、展示トレー表部２側の中央部に、直線状の切れ込み１１が形成されている。切れ込み１１は、直線状のものに限定されず、十字状、＊字状などに形成してもよい。図１に示す例の場合には、切れ込み１１を広げてから、袋状プランター１内に土壌材等を納めることができる。ただし、そうすると、四隅まで土壌材等を行き渡らせるための手間がかかるため、袋状プランター１を後述する手法によって製造するとよい。
【００２７】
土壌材等には、切れ込み１１を通じて、展示対象の植物の種が撒かれていてもよいし、植物の苗が植えられてもよいし、更には、その植物は開花したものであってもよい。いずれの場合であっても、植物の茎は、切れ込み１１を通ることになる。
【００２８】
つぎに、展示トレー２００について説明する。展示トレー２００を構成する展示トレー表部２には、その中央部に、切れ込み１１から出る茎が通る窓部２３が形成されている。このため、切れ込み１１から出て窓部２３から伸びる茎の先端等の葉、花などを観賞することができる。
【００２９】
展示トレー表部２は、窓部２３に隣接して、袋状プランター１の位置を規定する袋状プランター受け部２２が設けられている。なお、図１には、一側面側及び下側の２つ袋状プランター受け部２２のみが示されているが、実際には、他側面側にも設けられている。こうして、三方で袋状プランター１を受けられるようにしている。
【００３０】
この際、袋状プランター１の四隅を含む周辺部は、窓部２３と袋状プランター受け部２２との間で、受けられる。袋状プランター１は、窓部２３を通じて、展示トレー２００内に入れてもよいし、展示トレー表部２と展示トレー裏部３との連結を解除した状態で展示トレー２００内に入れてもよい。とりわけ、袋状プランター１を、窓部２３を通じて展示トレー２００に着脱可能に構成すると、袋状プランター１の交換が簡単に行うことができることになる。
【００３１】
さらに、展示トレー表部２の一側面又は両側面には、袋状プランター１で栽培している植物への給水用の給水口２４が形成されている。なお、給水口２４は、展示トレー表部２の側面に設けることが必須ではなく、例えば、展示トレー表部２の上面に設けることもできる。なお、植物への給水は、窓部２３を通じて行うこともできるので、給水口２４を設けることが必須ではない点に留意されたい。
【００３２】
展示トレー表部２は、給水口２４から注いだ水の残量を目視が容易となるように、透明性を有する素材を用いることもできる。展示トレー表部２は、合成樹脂の一体成型によって製造することができる。さらに、展示トレー表部２は、直接人の目に触れ易いので、意匠性の面から陶材や木材によって製造することもできる。特に、森林資源を有効活用するため、間伐材を使用してもよい。
【００３３】
展示トレー裏部３は、展示トレー表部２の大きさに対応する背面部３３を備える。背面部３３には、展示トレー裏部３と展示トレー表部２とを連結するための螺子４が通される螺子穴３１と、植物展示キット１００を壁掛けする際に壁に打ち付けられた釘等に係止される係止穴３４が形成されている。
【００３４】
背面部３３自体、螺子穴３１及び係止穴３４は、本実施形態の植物展示キット１００を横置きしたときにでも、給水口２４から注がれた水がこぼれないように、所要の高さの縁部３３Ａ、縁部３１Ａ及び縁部３４Ａを有する。
【００３５】
展示トレー裏部３には、展示トレー表部２に結合されたときに給水口２４よりも下側となる位置に、本実施形態の植物展示キット１００を縦置き又は壁掛けした状態で、給水口２４から注がれた水を受ける貯水部３２が設けられている。貯水部３２の底部には、袋状プランター１の下端が位置するようにしてもよい。
【００３６】
また、これに代えて、或いは、これとともに、貯水部３２には、給水板５を設置することもできる。こうすれば、貯水部３２の水位が下がって袋状プランター１が貯水に接しなくなったときでも、貯水部３２の貯水を袋状プランター１に供給できるようになる。なお、給水板５の材質としては、綿布等の天然繊維、珪藻土、吸水性ポリマー（ポリアクリル酸ナトリウム）等を用いることができる。給水板５は、貯水部３２内の水に下部が浸かり、かつ、上部が、袋状プランター１に接する状態で設置すればよいが、とりわけ、後述する、図３（ｈ）のＡ部分とＣ部分との間に、給水板５の上部を差し込むことで、袋状プランター１内の植物にとっての不足分だけ給水できるようにすれば、過灌水を防止できる。
【００３７】
展示トレー裏部３は、展示トレー表部２と同じ素材とすることもできるし、異なる素材とすることもできる。展示トレー裏部３は、直接人の目に触れる部分は少ないので、安価な樹脂製としてもよい。
【００３８】
なお、本実施形態では、展示トレー２００は、展示トレー表部２と展示トレー裏部３とを備える例を示しているが、これらは鋳型などを用いて一体成形したものであってもよい。
【００３９】
図２（ａ）〜図２（ｃ）は、図１に示す袋状プランター１の説明図である。なお、説明の都合上、図１に示したものから模様を割愛している。もっとも、模様の有無は本質的でない点に留意されたい。
【００４０】
図２（ａ）には、切れ込み１１が形成された矩形の正面部１２と、その裏面部１３とを含む。正面部１２の一層下には、切れ込み１１と直交する方向に切れ込み１７が形成された内面部１６が位置する。したがって、両切れ込み１１，１７は正面部１２のものと内面部１６のものとによって十字状となる。
【００４１】
図２（ｂ）及び図２（ｃ）は、図２（ａ）に示す袋状プランター１の変形例を示す斜視図である。図２（ｂ）には、図２（ａ）に示した切れ込み１１に加えて４つの十字の切れ込み１４を形成した袋状プランター１を示している。図２（ｃ）には、図２（ａ）に示した切れ込み１１に代えて６つの十字の切れ込み１４を形成するとともにファスナー１５が取り付けられた袋状プランター１を示している。
【００４２】
いずれのタイプの切れ込み１４が形成された袋状プランター１を用いるかは、展示対象となる植物の種別であったり、植物展示キット１００の大きさなどであったりによって決定すればよい。ファスナー１５を用いた場合には、ファスナー１５を開いて、そこから土壌材等を袋状プランター１内に入れることもできるので、図１に示す植物展示キット１００を購入したユーザが、自ら袋状プランター１に当該土壌材等を入れて、植物を育てるといった用い方も可能となる。
【００４３】
なお、袋状プランター１は、新品の布などで構成することもできるし、服の端切れ又は服のリサイクル品の布で構成することもできる。これらが廃棄されることなく二次利用されると、資源の有効活用、二酸化炭素排出削減に貢献することができる。新品の布の場合はもちろんのこと、とりわけ、リサイクル品の布に対しては、ＰＶＡ（ポリビニルアルコール）含浸加工処理を施して、袋状プランター１の吸水性、吸湿性、耐久性を向上させるとよい。
【００４４】
また、袋状プランター１を構成する布がウールや化学繊維が素材のであれば、新品の布であっても、ＰＶＡ含浸加工処理を行うとよい。ＰＶＡ含浸加工処理とは、ＰＶＡ溶液に袋状プランター１の素材を含浸させる工程と、その後に室温等で乾燥させる工程とを含む。
【００４５】
具体的には、ＰＶＡ含浸加工処理は、ＰＶＡ１１７がある（クラレ社製：ポバール；鹸化度９８．００〜９９．００ｍｏｌ％重合度１７００ ）のように、例えば９０度以上の高温度状態で完全に溶解するようなＰＶＡを用意し、これを１０％程度の濃度となるように希釈させた溶液を用意する。このための溶媒としては簡易には水を用いることができるが、これ以外にも、アセトン、フェノール、グリコール類、ジメチルスルホキシドなどを用いることができる。
【００４６】
このようなＰＶＡ溶液に、１回あたり５秒〜１５秒程度、２回〜５回含浸処理し、乾燥させるとよい。なお、新品の布の場合には、ＰＶＡ溶液が浸透しにくいので、含浸時間又は回数を２倍〜５倍程度に増やしてもよい。また、ここでの乾燥は、自然乾燥でもよいし、熱風などをあててもよいし、加熱しているローラ上を移動させることで行ってもよい。
【００４７】
また、袋状プランター１での菌の繁殖を防止するために、土壌材等を抗菌処理したり、素材をヒバ油、木酢油等の木質系バイオマス抗菌油、あるいはオルトフェニルフェノール等に代表される殺菌・防カビに用いられる食品添加物によって抗菌処理したりするとよい。
【００４８】
特に、木酢油は木クレオソートと化学成分がほぼ同じであり、また、ヒバ油の抗菌成分の一つであるヒノキチオールは低毒性の抗菌物質として有効であることが報告されており、食品添加物もその安全性は既に認められている物質である。よって、下記希釈の際に水等のように人体への安全性が認められているものを用いれば、人体への安全性は確保されており、長期間の使用に耐えられ、かつ、見栄えも悪くないものを製造することができる。
【００４９】
なお、木酢油、ヒバ油等のバイオマス抗菌油、あるいは食品添加物等を用いた抗菌処理を行うためには、以下のような抗菌液を製造し、袋状プランター１の素材を当該抗菌液に１回あたり５秒〜１０秒程度、２回〜３回含浸処理してから乾燥させればよい。
【００５０】
ここで、袋状プランター１の素材が新品の布の場合には、ここに抗菌液が浸透しにくいので、含浸時間又は回数を２倍〜５倍程度に増やしてもよい。また、ここでの乾燥は、自然乾燥でもよいし、熱風などをあててもよいし、加熱しているローラ上を移動させることで行ってもよい。
【００５１】
上記抗菌液は、理解容易のため、１リットル程度の量を製造する場合を例に説明する。木質系バイオマス抗菌油の場合、まず、１００ｇほどの木質系バイオマス抗菌油を用意し、これにＰＶＡなどの乳化剤を、その粘度にもよるが、２０ｇ〜４０ｇほどを混合する。そして、この混合液を１０倍程度に希釈する。
【００５２】
希釈のための溶媒には、簡易には水を用いることができるが、これ以外にも、アセトン、フェノール、グリコール類、ジメチルスルホキシドなどを用いることができる。食品添加物の場合もほぼ同様であるが、水溶性化合物の場合には水等の水系溶媒を、非水溶性化合物の場合にはアセトン、ジメチルスルホキシド等の非水系溶媒を用いて希釈する。含量は用いる食品添加物の抗菌・抗カビ活性に基づき適時調性する。
【００５３】
つづいて、この混合液に対してＰＶＡを、５０ｇ〜１００ｇ程度混合する。このＰＶＡは、袋状プランター１に木質系バイオマス抗菌油、或いは食品添加物溶液を接着させるための接着剤として機能する条件のものとする。したがって、このＰＶＡは、乳化剤として用いるＰＶＡよりも粘度の高いものを用いることになろう。
【００５４】
その後、上記混合液の取扱性を向上させるために、例えば、ＰＶＡをその濃度に応じて水等で５％〜１０％に希釈させた溶液によって、上記混合液を１０倍〜２０倍程度に希釈する。こうすると、約１リットルの抗菌液が完成する。
【００５５】
実際に、上記の抗菌液を用いて抗菌加工処理を施した素材を用いて袋状プランター１を製造し、そこに収容した土壌材等に植物を植えた状態で数か月間灌水をして、カビの繁殖実験をしてみた。その結果、抗菌液における木質系バイオマス抗菌油の割合が１０％を超える場合には、抗菌力が強いためか植物が枯れてしまった。
【００５６】
一方で、抗菌液における木質系バイオマス抗菌油の割合が１％未満の場合には十分な抗菌効果が得られないことがわかった。食品添加物に関しては、オルトフェニルフェノールナトリウムを用いた場合では、例えば３％を超える高濃度でもほとんどの植物が枯れることはなく、一方で０．１％を下回る濃度の場合では十分な抗菌効果が得られないことがわかった。
【００５７】
また、上記の実験の結果、接着剤として機能するＰＶＡは、ＰＶＡ１７００、ＰＶＡ２５００と称されるものが好適に用いることができること、この場合には、抗菌液における接着剤の割合が１０％を超える場合には、抗菌液自体がゲル化してしまい取扱性が悪くなった。一方で、抗菌液における接着剤の割合が３％以下の場合には素材に抗菌液が十分に接着されず抗菌作用が優れないことがわかった。
【００５８】
したがって、木質系バイオマス抗菌油、食品添加物、乳化剤、接着剤の割合は、どのような条件の製品を用いるかということによって異なるので一概には言えないが、概ね、一般的に当業者が乳化剤、接着剤という場合に選択するであろうものを用いた場合には、上記の範囲内とすることが望まれる。
【００５９】
なお、バイオマス抗菌油を用いた抗菌加工を行った天然繊維素材を用いた袋状プランター１では、毎日水を与えているにもかかわらず４ヶ月を超えてもカビ類が発生しなかった。一方で、抗菌加工を行っていない天然繊維素材を用いた袋状プランター１では、通気性が相対的に悪い展示トレー裏部３側では遅くても２か月経過する前にカビ類が発生した。
【００６０】
図３は、図１に示す袋状プランター１の製造工程図である。まず、大きさの異なる２枚の布を用意する（図３（ａ））。具体的には、図示のように、Ｂ部分とＤ部分との面積が相互にほぼ同じ大きさで、例えばほぼ正方形状の布を用意する。Ａ部分の面積は、Ｂ部分等の約４０％〜６０％の面積であり長方形状である。また、Ｃ部分は、長辺と短辺との差が相対的に小さい長方形状とされている。Ｃ部分の短辺の長さは、Ｂ部分の辺長の９０％程度としている。
【００６１】
つぎに、Ｄ部分をＢ部分に重ね合わせる（図３（ｂ））。それから、Ａ部分をＤ部分の重ね合わせ面とは反対側に折り、ついで、Ａ部分を覆うようにＣ部分も折る（図３（ｃ））。この状態で、多層状態となった布の外縁部を縫合する（図３（ｄ））。ここでいう外縁部とは、Ａ部分を覆っているＣ部分の端部が縫合されない箇所である。
【００６２】
つぎに、Ｃ部分の端部は、Ｃ部分は、Ａ，Ｂ，Ｄ部分とは縫合されていないので、この未縫合となっている口部を通じて、多層状態となっている布を、内側外側でひっくり返す（図３（ｆ））。そして、袋状プランター１内に、口部から土壌材を入れてから、Ａ部分を折ることによって口部を塞ぐようにすればよい。こうして、袋状プランター１が完成する。
【００６３】
袋状プランター１を構成するＢ部分に、水に濡れると色が変わるプリントを入れてもよい。こうすると、そのプリントの色を見て、灌水のタイミングを図ることができる。
【００６４】
図４〜図９は、図１に示す植物展示キットの六面図である。ここでは、展示トレー表部２と展示トレー裏部３とを螺子４で連結した状態のものを示している。
【００６５】
図４に示す正面図と図５及び図６に示す側面図とから明らかなように、展示トレー表部２では、窓部が展示トレー本体の底面に対して所要の角度をもって形成されている。また、展示トレー本体の上面が展示トレーの底面に比して小さい。
【００６６】
（実施形態２）
図１０（ａ）〜図１０（ｈ）は、本発明の実施形態２の植物展示キット用の袋状プランター１の斜視図である。まず、本実施形態では、例えば、約２００ｍｍ×約２３０ｍｍの略正方形状の布を用意する。
【００６７】
この布には、必要に応じて、例えば、直径１ｃｍ程度の穴をいくつか（ここでは、袋状プランター１の周辺部に１２個）を開けておき、これらに紐などを通すなどして、袋状プランター１の内部に土壌材などを入れた後に、その開口部を閉じるようにしてもよい。
【００６８】
具体的には、これらの穴は、図１０（ｄ）に示す状態で、いくつかが重なり合って、４箇所で穴が形成される。なお、説明の理解用意のため、布の所定の位置に星形マーク及び丸形マークを付している。これらのマークは、布の表裏で白抜き・黒塗りに分けている（図１０（ａ））。
【００６９】
この布は、図示する例でいうと、布の左上側約１／４及び右下側の約１／４の位置、つまり、図１０（ａ）に一点鎖線で示す位置が折り目となるようにして、布の左上側及び右下側を、それぞれ実線で示す中央線に向けて折る。
【００７０】
そうすると、略正方形状の布は、布の中央線上でほぼ合わさる態様で折られたものとなる。折り畳まれた布は、上記の大きさの場合には、約１００ｍｍ×約２３０ｍｍの略長方形状となる（図１０（ｂ））。
【００７１】
つぎに、図１０（ｂ）に示す略長方形状の布の四つ角部分を縫う。各縫い目は、いずれも、略直線状としていている。縫う部分の両端については、一端部Ａ１の位置は上記中央線上であって左右端から５ｍｍ程度内側に入った位置とし、かつ、他端部Ａ２の位置は、布の長辺上であって角から５０ｍｍ〜７０ｍｍ程度の位置としている（図１０（ｃ））。
【００７２】
その後、布の左側約１／４＋α及び右側約１／４＋αの位置、つまり、図１０（ｃ）及び図１０（ｄ）において一点鎖線で示す位置が折り目となるようにして、布の短辺を、それぞれ、中央に向けて折る。
【００７３】
そうすると、この長方形状の布は、左辺部分及び右辺部分が、左右辺に平行となる中央位置で、やや重なり合った部分Ｂ１ができる態様で折られたものとなる。折り畳まれた布は、縦幅が約１００ｍｍ×横幅が約１００ｍｍの略正方形状となる（図１０（ｄ））。
【００７４】
ここで、本発明の実施形態の本質ではないので、詳述は割愛するが、袋状プランター１を、図１０（ｄ）の状態で、農家などに納品することが考えられる。一方、農家は、いわゆるビニールポッドなどに入れられた土壌材に苗を植えて所要の育成させた植物を、当該土壌材とともに、納品された袋状プランター１に入れることもできる。植物等を入れる部分は、図１０（ａ）に示す中央部分となる。
【００７５】
これに対して、植物の苗が植えられていない土壌材を袋状プランター１に入れる場合には、図１０（ｄ）の状態で土壌材を入れてもよいし、図１０（ｇ）に示す工程後に土壌材を入れてもよい。なお、袋状プランター１に入れる際に、植物の苗を植えた土壌材がこぼれないように、ビニールポッドに代えて不織布ポッドを用いる、或いは、不織布ポッドをビニールポッド内にセットした状態で、不織布ポッドに土壌材を入れ、かつ、そこに、植物の苗を植えて、不織布ポッドとともに、袋状プランター１に入れるようにしてもよい。
【００７６】
ここで、重なり合った部分Ｂ１及び丸形マークが付された付近を挟んで布を持つと、布が楕円筒状のような形状となり、また、持っている部分の周辺は布の奥の空間が見え、星印の位置は確認することができることがわかる（図１０（ｅ））。
【００７７】
つぎに、重なり合った部分Ｂ１と丸形マークが付された部分という合計５層の布を、値札などを商品に付す際に用いるタグピンなどを用いて留める（図１０（ｆ））。
【００７８】
同様に、その留めた位置と反対の位置で、重なり合った部分Ｂ１を、タグピンなどを用いて留める（図１０（ｇ））。
【００７９】
こうすると、実施形態１で説明した袋状プランター１よりも簡易な製造工程により、本実施形態の植物展示キット用の袋状プランター１が完成する（図１０（ｈ））。
【００８０】
もっとも、図１０（ａ）〜図１０（ｈ）に示した製造工程は一例であり、これに限定されるものではない点に留意されたい。例えば、完成した袋状プランター１が略正方形である必要はないので、当初に用意する布を、縦幅が約２３０ｍｍ×横幅が約２３０ｍｍの略正方形状の布を用意してもよい。
【００８１】
また、図１０（ａ）の状態から図１０（ｂ）に状態にする際に、上辺部分と下辺部分とが、やや重なり合った状態としてもよい。或いは、反対に、上辺部分と下辺部分との間がやや空いている状態としてもよい。
【００８２】
さらに、図１０（ｂ）に示す縫い目の一端部Ａ１の位置は、縫いやすさを考慮して、やや内側としているが、例えば、ほぼ左右辺となる箇所まで外側に移動させた位置としてもよい。
【００８３】
さらにまた、重なり合った部分Ｂ１などを、タグピンで留めることに代えて、例えば、これらを縫い付けることによって、或いは、鉤ホックなどを用いることによって、留めてよい。
【００８４】
或いは、巾着袋のように、予め、図１０（ａ）の状態で、所要の位置に紐或いはゴムを通す部位を設けておき、そこに紐或いはゴムを通して、最終的に植物の苗を植えた或いは植えていない土壌材を入れた後に、開口部分を締めるようにしてもよい。
【００８５】
鉤ホックを用いる場合には、図１０（ｇ）のＣ１の位置で止められるようにすればよく、図１０（ａ）の状態で、雄側ホックと雌側ホックとからなる一対の鉤ホック２組を、布に対して取りつけておくとよい。特に、鉤ホックは、プラスチック製などのように、可燃ゴミとして取り扱える素材を用いると、植物が枯れた後に、袋状プランター１から鉤ホックを取り外すことなく、可燃ゴミとして処分できるのでエコロジーの観点から好ましい。
【００８６】
要するに、袋状プランター１は、典型的には、植物が植えられるように土などが中に入れられるようになっており、かつ、展示トレー表部２及び展示トレー裏部３に収容して展示した時にも、その土などがこぼれないように袋状の形状となっていればよく、その製法は限定されるものではない。
【図１】
2016000033.tif 000003
【図２】
2016000033.tif 000004
【図３】
2016000033.tif 000005
【図４】
2016000033.tif 000006
【図５】
2016000033.tif 000007
【図６】
2016000033.tif 000008
【図７】
2016000033.tif 000009
【図８】
2016000033.tif 000010
【図９】
2016000033.tif 000011
【図１０】
2016000033.tif 000012